(57)【特許請求の範囲】
【請求項１】
ディスクを収納したディスクカートリッジと、複数個の前記ディスクカートリッジを収納するために、仕切部材で仕切られた複数個の棚部を有するストッカーとを備え、前記仕切部材には、前記ディスク、及び前記ディスクカートリッジのセンタホールに係脱可能な弾性部材を設け、前記弾性部材は、片持ち状の板バネで形成し、該板バネの自由端側を前記センタホールにおいて前記ディスク、及び前記ディスクカートリッジに係合させて、前記弾性部材により前記ディスクカートリッジを保持すると共に、前記ディスクカートリッジの前記弾性部材による係合を解除するための回動可能な変位部材を有する解除手段を設け、前記変位部材の回動により前記弾性部材の前記自由端側を変位させて、前記ディスクカートリッジに対する前記弾性部材の係合を外すようにしたことを特徴とするストッカーにおけるディスクカートリッジの保持構造。
【発明の詳細な説明】
【０００１】
【発明の属する技術分野】
本発明は、音響機器等に使用されるストッカーにおけるディスクカートリッジの保持構造に関する。
【０００２】
【従来の技術】
従来のストッカーにおけるディスクカートリッジの保持構造を図５〜図７に基づいて説明すると、ストッカー２１は、中心部に孔２２ａを有する板状の複数個の仕切部材２２が間隔を置いて配置されて、棚部２３を形成して構成されている。
また、ストッカー２１の側部には、各棚部２３毎に弾性部材２４が取り付けられると共に、各仕切部材２２の下面には、磁石２５が取り付けられている。
また、中心部に金属板２６を設けたディスク２７を収納する箱形のディスクカートリッジ２８は、下壁２８ａの中心部に孔２８ｂを有すると共に、側壁に凹部２８ｃが設けられている。
【０００３】
そして、このようなディスクカートリッジ２８は、ストッカー２１の各棚部２３に矢印Ａ方向から挿入されて、各棚部２３にストックされるようになっており、ディスクカートリッジ２８がストックされた際、弾性部材２４がディスクカートリッジ２８の凹部２８ｃに嵌合して、ディスクカートリッジ２８のガタツキを防止すると共に、磁石２５で金属板２６を引きつけて、ディスク２７のガタツキを防止する構成となっている。
【０００４】
【発明が解決しようとする課題】
従来のストッカーにおけるディスクカートリッジの保持構造は、ディスクカートリッジ２８の保持のために弾性部材２４と磁石２５を必要とし、部品点数が多く、コスト高になるという問題がある。
【０００５】
【課題を解決するための手段】
上記課題を解決するための第１の手段として、ディスクを収納したディスクカートリッジと、複数個の前記ディスクカートリッジを収納するために、仕切部材で仕切られた複数個の棚部を有するストッカーとを備え、前記仕切部材には、前記ディスク、及び前記ディスクカートリッジのセンタホールに係脱可能な弾性部材を設け、前記弾性部材は、片持ち状の板バネで形成し、該板バネの自由端側を前記センタホールにおいて前記ディスク、及び前記ディスクカートリッジに係合させて、前記弾性部材により前記ディスクカートリッジを保持すると共に、前記ディスクカートリッジの前記弾性部材による係合を解除するための回動可能な変位部材を有する解除手段を設け、前記変位部材を回動させて前記弾性部材の前記自由端側を変位させて、前記ディスクカートリッジに対する前記弾性部材の係合を外すようにした構成とした。
【０００６】
【発明の実施の形態】
本発明のストッカーにおけるディスクカートリッジの保持構造を図１〜図４に基づいて説明すると、図１は本発明のストッカーにおけるディスクカートリッジの保持構造の側面図、図２は本発明のストッカーにおけるディスクカートリッジの保持構造の下面図、図３は本発明のストッカーにおけるディスクカートリッジの保持構造に係り、ディスクカートリッジの保持状態を示す要部の拡大断面図、図４は本発明のストッカーにおけるディスクカートリッジの保持構造に係り、ディスクカートリッジの保持の解除状態を示す要部の拡大断面図である。
【０００７】
次に、本発明のストッカーにおけるディスクカートリッジの保持構造を図１〜図４において説明すると、ストッカー１は、複数個が間隔を置いて配置された板状の仕切部材２で構成され、仕切部材２間には、棚部３が形成されている。
また、仕切部材２は、合成樹脂の成型品で形成され、中心部に設けられた孔２ａと、下面に設けられた切り欠き部２ｂを有する。
また、金属板の板バネからなる弾性部材４は、弓状の弾性部４ａと、弾性部４ａの一端部の側部から折り曲げて設けられた一対の支持部４ｂと、弾性部４ａの一端から下方に折り曲げて形成された係合部４ｃとを有する。
【０００８】
そして、この弾性部材４は、仕切部材２の孔２ａ内に配置され、円柱の支柱５によって、仕切部材２に回動可能に取り付けられて、弾性部材４が片持ち状に取り付けられている。
また、コイルバネ６は、支柱５に取り付けられ、このコイルバネ６により弾性部材４が常時付勢されて、弾性部４ａが常時、棚部３方向に回動するようになっている。
また、解除手段７は、金属板等からなる変位部材８を有し、この変位部材８は、仕切部材２の下面に設けられた切り欠き部２ｂ内に配置されて、変位部材８は、軸９によって回動可能に取り付けられている。
そして、変位部材８が取り付けられた際、その一端部は弾性部材４の係合部４ｃと係脱可能となり、弾性部材４を回動するようになっている。
【０００９】
また、箱形の合成樹脂からなるディスクカートリッジ１０は、下壁１０ａの中心部にセンターホール１０ｂが設けられ、このディスクカートリッジ１０内には、ディスク１１が収納されている。
そして、このディスク１１は、記録媒体部１２と、中心部に設けられたコップ状の金属体１３を有し、ディスク１１がディスクカートリッジ１０に収納された際、コップ状の金属体１３がセンターホール１０ｂと対向した状態となっている。
【００１０】
そして、このようなディスクカートリッジ１０は、ストッカー１の棚部３に矢印Ａ方向から挿入されて、各棚部３にディスクカートリッジ１０がストックされるようになっている。
そして、先ず、ディスクカートリッジ１０が棚部３に挿入されると、ディスクカートリッジ１０の先端部で、弾性部材４が弾性部４ａとコイルバネ６の弾性に抗して孔２ａ内に没入するように回動した後、図３に示すように、弾性部材４の弾性部４ａが自己の弾性とコイルバネ６により、センターホール１０ｂ内に突入して、弾性部４ａがセンターホール１０ｂの縁部と金属体１３に当接する。
そして、この弾性部４ａにより、ディスクカートリッジ１０は上部に位置する仕切部材２に押し付けられると共に、ディスク１１がディスクカートリッジ１０の上壁の内面に押し付けられて、ディスクカートリッジ１０が保持されるようになる。
【００１１】
また、このように保持されたディスクカートリッジ１０を矢印Ｂ方向に搬送する際は、先ず、解除手段７によって変位部材８を矢印Ｃ方向に回動する。
すると、図４に示すように、変位部材８は、弾性部材４の係合部４ｃに当接して、弾性部材４をコイルバネ６に抗して回動させ、弾性部４ａのディスクカートリッジ１０とディスク１１の弾圧、係合を解除する。
しかる後、搬送手段（図示せず）によりディスクカートリッジ１０を矢印Ｂ方向に搬送した後、変位部材８と弾性部材４は、再び、図３に示す状態に戻るようになっている。
このようにして、ディスクカートリッジ１０のストッカー１における保持、及び解除を行うようになっている。
【００１２】
【発明の効果】
本発明のストッカーにおけるディスクカートリッジの保持構造は、仕切部材２に弾性部材４を設け、弾性部材４をディスクカートリッジ１０のセンターホール１０ｂにおいて、ディスク１１、及びディスクカートリッジ１０に係合させて、弾性部材４によりディスクカートリッジ１０を保持したため、従来に比して部品点数が少なく、安価なストッカーにおけるディスクカートリッジの保持構造を提供できる。
また、弾性部材４は、片持ち状の板バネで形成し、該板バネの自由端側をディスクカートリッジ１０に係脱させるようにしたため、その構成が簡単で、生産性が良く、安価なストッカーにおけるディスクカートリッジの保持構造を提供できる。
【００１３】
また、弾性部材４のディスクカートリッジ１０への係合による保持を解除するための解除手段７を設けたため、ディスクカートリッジ１０の搬送が容易なストッカーにおけるディスクカートリッジの保持構造を提供できる。
また、解除手段７は、ディスクカートリッジ１０に対する弾性部材４の係合を外すように、弾性部材４の自由端側を変位させる変位部材８で構成したため、その構成が簡単で薄型となり、安価で小型のストッカーにおけるディスクカートリッジの保持構造を提供できる。
【図面の簡単な説明】
【図１】本発明のストッカーにおけるディスクカートリッジの保持構造の側面図。
【図２】本発明のストッカーにおけるディスクカートリッジの保持構造の下面図。
【図３】本発明のストッカーにおけるディスクカートリッジの保持構造に係り、ディスクカートリッジの保持状態を示す要部の拡大断面図。
【図４】本発明のストッカーにおけるディスクカートリッジの保持構造に係り、ディスクカートリッジの保持の解除状態を示す要部の拡大断面図。
【図５】従来のストッカーにおけるディスクカートリッジの保持構造の一部切り欠き平面図。
【図６】従来のストッカーにおけるディスクカートリッジの保持構造の断面図。
【図７】従来のストッカーにおけるディスクカートリッジの保持構造に係り、ディスクカートリッジの保持状態を示す要部の拡大断面図。
【符号の説明】
１  ストッカー
２  仕切部材
２ａ  孔
２ｂ  切り欠き部
３  棚部
４  弾性部材
４ａ  弾性部
４ｂ  支持部
４ｃ  係合部
５  支柱
６  コイルバネ
７  解除手段
８  変位部材
９  軸
１０  ディスクカートリッジ
１０ａ  下壁
１０ｂ  センターホール
１１  ディスク
１２  記録媒体部
１３  金属体
【図１】
0003556513.tif 000002
【図２】
0003556513.tif 000003
【図３】
0003556513.tif 000004
【図４】
0003556513.tif 000005
【図５】
0003556513.tif 000006
【図６】
0003556513.tif 000007
【図７】
0003556513.tif 000008